(57)【特許請求の範囲】
【請求項１】
内部に所定の収容空間を有するベースと、その収容空間を延長するようベースに連設した中空円筒状のパイプと、パイプにそれを包囲するよう固着した中空円筒状の磁気コアと、磁気コアの外方に巻回される誘導コイルと、内部に放電ガスが封入されると共に内壁に蛍光体が塗布され、有底筒状にくぼんだ形状のくぼみ空洞部及びそのくぼみ空洞部の底部から突設される有底円筒状の排気管を有し、排気管が前記収容空間に挿入されると共にくぼみ空洞部が誘導コイルを包囲するようベースに取り付けられる大略球状のバルブと、を備え、誘導コイルに印加する高周波電磁界の作用により放電ガスが励起されて発光する無電極放電灯であって、高周波電磁界の作用により発生する熱の放出を促進する放熱促進構造を備え、前記ベースは、磁気コアの外側壁面とくぼみ空洞部との間に突出する中空円筒状の熱伝導部を設け、その熱伝導部の先端を誘導コイルの近傍まで延在させたものであることを特徴とする無電極放電灯。
【請求項２】
前記放熱促進構造は、ベース及びパイプ、あるいは、ベース又はパイプの側壁面を、その表面積が増加する形状としたものである請求項１記載の無電極放電灯。
【請求項３】
前記表面積が増加する形状は、排気管の延伸方向の中心軸に対して略平行な平面によって切断した断面、又はその平面と略直交する平面によって切断した断面を、凹凸形状にしたものである請求項２記載の無電極放電灯。
【請求項４】
前記パイプは、その内側壁面、あるいは外側壁面の少なくとも一方を凹凸形状とし、その凹凸形状部を、パイプの延伸方向の中心軸に対して略平行状、又はその中心軸のまわりに螺旋状に設けたものである請求項３記載の無電極放電灯。
【請求項５】
前記磁気コアは、その内側壁面をパイプの外側壁面に設けた凹凸形状部に嵌合するよう凹凸形状に形成し、パイプの凹凸形状部に密着させたものである請求項３又は４記載の無電極放電灯。
【請求項６】
前記ベースは、その外周側壁面に、樹脂材料にて形成した放熱部材を、少なくともその一部を外部に露出させた状態で固着したものである請求項１乃至５のいずれかに記載の無電極放電灯。
【請求項７】
前記パイプは、磁気コアに包囲されていない部分に、内側壁面と外側壁面との間を貫通する貫通孔を形成したものである請求項１乃至６のいずれかに記載の無電極放電灯。
【請求項８】
前記パイプは、その先端部が、磁気コアの端部より、くぼみ空洞部の底部の側に延在するよう形成して、磁気コアに包囲されていない部分を設けたものである請求項１乃至７のいずれかに記載の無電極放電灯。
【請求項９】
前記パイプ及び前記熱伝導部、あるいは、前記パイプ又は前記熱伝導部は、Ｃｕで形成したものである請求項１記載の無電極放電灯。
【発明の詳細な説明】
【０００１】
【発明の属する技術分野】
本発明は、高周波電磁界発生手段によって発光する無電極放電灯に関するものである。
【０００２】
【従来の技術】
従来、この種の無電極放電灯として、例えば図１４に示すようなものがある。なお、同図（ａ）は側面断面図、同図（ｂ）はパイプ３と磁気コア４の平面断面図である。
【０００３】
この無電極放電灯Ａは、誘導コイル５に印加する高周波電磁界の作用により、電球としてのバルブ６内に封入した放電ガスが励起されて発光するものであって、内部に所定の収容空間を有するベース２と、その収容空間を延長するようベース２に固着した中空円筒状のパイプ３と、パイプ３にそれを包囲するよう固着した中空円筒状の磁気コア４と、磁気コア４の外方に巻回される誘導コイル５と、内部に放電ガスが封入されると共に内壁に蛍光体が塗布され、略中央部に有底筒状にくぼんだ形状のくぼみ空洞部６ａ及びそのくぼみ空洞部６ａの底部６ｂから突設される有底円筒状の排気管６ｃを有し、排気管６ｃが前記収容空間に挿入されると共にくぼみ空洞部６ａが誘導コイル５を包囲するようベース２に取り付けられる大略球状のバルブ６と、を備えている。
【０００４】
かくして、この無電極放電灯Ａは、誘導コイル５に数ＭＨｚ程度の高周波電流を流すと、バルブ６内に封入した放電ガスが励起され、バルブ６の内壁に塗布した蛍光体が励起されて、電球としてのバルブ６が発光するのである。
【０００５】
【発明が解決しようとする課題】
上記無電極放電灯Ａは、誘導コイル５に高周波電流を流してバルブ６を発光させると、高周波電磁界の作用によって磁気コア４及び誘導コイル５等が発熱する。そのため、この無電極放電灯Ａは、パイプ３が、磁気コア４の内側壁面に接して設けられて、磁気コア４及び誘導コイル５等で発生する熱を、パイプ３及びベース２を介して外部に放出するようにしている。これにより、この無電極放電灯Ａは、磁気コア４及び誘導コイル５等が、その耐熱温度であるおよそ１５０℃乃至２００℃程度を超えにくいようにして、無電極放電灯Ａの発光効率等の低下を防止している。
【０００６】
しかしながら、上記無電極放電灯Ａは、その発光効率を高める等のためにパイプ３の肉厚を薄くしており、高周波電磁界の作用によって磁気コア４及び誘導コイル５等発生した熱が、パイプ３を介してベース２に放出されにくいことが懸念されていた。
【０００７】
ところで、放熱性を向上させた無電極放電灯として、例えば図１５に示すような特許第２８０７３０５に開示されているものがある。なお、同図（ａ）は、この無電極放電灯Ｂの要部平面図、同図（ｂ）は、同じく要部側面図である。
【０００８】
この無電極放電灯Ｂは、パイプ３の構造に特徴がある。すなわち、パイプ３は、ヒートパイプと呼ばれるものであって、磁気コア４の内側壁面と、磁気コア４の上壁面部と、磁気コア４の外側壁面及び誘導コイル５の外側と、に設けられ、その内部に熱伝導材が封入されている。これにより、磁気コア４等に発生した熱を効率的に外部に放出しているのである。
【０００９】
しかしながら、上記無電極放電灯Ｂは、磁気コア４等に発生した熱を効率的に外部に放出することができるものの、パイプ３の構造が複雑であり、しかもその内部に熱伝導材を封入するので、製造するのがやや面倒であった。
【００１０】
本発明は、上記事由に鑑みてなしたもので、その目的とするところは、簡単な構成で、しかも発光効率等の低下を抑えることのできる無電極放電灯を提供することにある。
【００１１】
【課題を解決するための手段】
請求項１に係る発明の無電極放電灯は、内部に所定の収容空間を有するベースと、その収容空間を延長するようベースに連設した中空円筒状のパイプと、パイプにそれを包囲するよう固着した中空円筒状の磁気コアと、磁気コアの外方に巻回される誘導コイルと、内部に放電ガスが封入されると共に内壁に蛍光体が塗布され、有底筒状にくぼんだ形状のくぼみ空洞部及びそのくぼみ空洞部の底部から突設される有底円筒状の排気管を有し、排気管が前記収容空間に挿入されると共にくぼみ空洞部が誘導コイルを包囲するようベースに取り付けられる大略球状のバルブと、を備え、誘導コイルに印加する高周波電磁界の作用により放電ガスが励起されて発光する無電極放電灯であって、高周波電磁界の作用により発生する熱の放出を促進する放熱促進構造を備え、前記ベースは、磁気コアの外側壁面とくぼみ空洞部との間に突出する中空円筒状の熱伝導部を設け、その熱伝導部の先端を誘導コイルの近傍まで延在させたものであることを特徴としている。
【００１２】
請求項２に係る発明の無電極放電灯は、請求項１の構成において、放熱促進構造が、ベース及びパイプ、あるいは、ベース又はパイプの側壁面を、その表面積が増加する形状としている。
【００１３】
請求項３に係る発明の無電極放電灯は、請求項２の構成において、表面積が増加する形状は、排気管の延伸方向の中心軸に対して略平行な平面によって切断した断面、又はその平面と略直交する平面によって切断した断面を、凹凸形状にしている。
【００１４】
請求項４に係る発明の無電極放電灯は、請求項３の構成において、パイプは、その内側壁面、あるいは外側壁面の少なくとも一方を凹凸形状とし、その凹凸形状部を、パイプの延伸方向の中心軸に対して略平行状、又はその中心軸のまわりに螺旋状に設けている。
【００１５】
請求項５に係る発明の無電極放電灯は、請求項３又は４の構成において、磁気コアは、その内側壁面をパイプの外側壁面に設けた凹凸形状部に嵌合するよう凹凸形状に形成し、パイプの凹凸形状部に密着させている。
【００１６】
請求項６に係る発明の無電極放電灯は、請求項１乃至５の構成において、ベースは、その外周側壁面に、樹脂材料にて形成した放熱部材を、少なくともその一部を外部に露出させた状態で固着している。
【００１８】
請求項７に係る発明の無電極放電灯は、請求項１乃至６の構成において、パイプは、磁気コアに包囲されていない部分に、内側壁面と外側壁面との間を貫通する貫通孔を形成している。
【００１９】
請求項８に係る発明の無電極放電灯は、請求項１乃至７の構成において、パイプは、その先端部が、磁気コアの端部より、くぼみ空洞部の底部の側に延在するよう形成して、磁気コアに包囲されていない部分を設けている。
【００２０】
請求項９に係る発明の無電極放電灯は、請求項１の構成において、パイプ及び熱伝導部、あるいは、パイプ又は熱伝導部は、Ｃｕで形成している。
【００２１】
【発明の実施の形態】
以下、本発明の実施の形態について、図面を参照して詳細に説明する。なお、本実施形態の基本的な構成は従来の技術において説明したものと同様であるから、基本的機能が実質的に同様の部分には同一の符号を付し、共通する部分についてはその詳細な説明を省略する。
【００２２】
（第１の実施の形態）
図１は、本発明に係る無電極放電灯の第１の実施の形態を示す側面断面図である。
【００２３】
この無電極放電灯１は、ベース２の構造、及び放熱部材７を設けている構成に特徴がある。
【００２４】
ベース２は、Ｃｕ等の熱伝導性の良い材料で形成して、磁気コア４及び誘導コイル５等で発生してパイプ３に伝わる熱を中継して外部に放出するものであって、大径部２ａと小径部２ｂを有した略円柱状をなしている。そして、ベース２は、小径部２ｂから軸線に対しほぼ直交する方向に突出する第１の突出部２ｃ、及びこの第１の突出部２ｃから大径部２ａに向かう方向であって第１の突出部２ｃからほぼ直交する方向に突出する第２の突出部２ｄを設けている。さらに、ベース２は、第２の突出部２ｄから外部に向かって略三角形状の突部を６個程度形成した凹凸形状部２ｅを設けている。また、ベース２は、大径部２ａと小径部２ｂとの間に、後述する放熱部材７を、少なくともその一部を外部に露出させた状態で固着している。
【００２５】
放熱部材７は、熱伝導性の良い樹脂材料等で形成して、パイプ３からベース２に伝わった熱を中継して外部に放出するものであって、軸方向長さが比較的短い中空円筒状をなしている。そして、この放熱部材７は、大径部２ａと小径部２ｂとの間に、少なくともその一部を外部に露出させた状態でベース２に固着している。
【００２６】
したがって、この無電極放電灯１は、ベース２に凹凸形状部２ｅを設けると共に放熱部材７を固着しているので、ベース２の外気に触れる表面積が増加して凹凸形状部２ｅの近傍における熱対流が活発に行われるものとなるうえ、ベース２に伝わる熱が放熱部材７を介して放出されるものとなり、もって放熱性が良いものとなる。その結果、高周波電磁界の作用によって磁気コア４及び誘導コイル５等で発生する熱を、効率的に外部に放出することができるので、磁気コア４及び誘導コイル５等が、その耐熱温度であるおよそ１５０℃乃至２００℃程度を超えないものとなり、もって無電極放電灯の発光効率等の低下が抑えられるものとなる。なお、発熱量が少なかったり外気の状況により放熱がし易い等の場合、放熱部材７を省略してもよい。
【００２７】
以上、本発明に係る無電極放電灯の第１の実施の形態を説明したが、ベース２、パイプ３、磁気コア４等に係る放熱構造は種々の変形が可能であり、以下に示す構成にしてもよい。
【００２８】
（第２の実施の形態）
図２は、本発明に係る無電極放電灯の第２の実施の形態を示す側面断面図である。
【００２９】
この無電極放電灯１は、熱伝導部８を設けている構成に特徴がある。すなわち、無電極放電灯１は、ベース２に、磁気コア４の外側壁面とくぼみ空洞部６ａとの間に突出する中空円筒状の熱伝導部８を設け、その熱伝導部８の先端８ａを誘導コイル５の近傍まで延在させている。
【００３０】
この構成によれば、無電極放電灯１は、磁気コア４の外側壁面３ｄに発生した熱が熱伝導部８及びベース２を介して放出されるので、もって放熱性を一層向上させられるものとなる。
【００３１】
（第３の実施の形態）
図３は、本発明に係る無電極放電灯の第３の実施の形態を示す側面断面図である。
【００３２】
この無電極放電灯１は、パイプ３の構造に特徴がある。すなわち、パイプ３は、その先端３ａが、磁気コア４の端部４ａより、くぼみ空洞部６ａの底部６ｂの側に、延伸方向の全長のおよそ８分の１程度の長さ延在するよう形成して、磁気コア４に包囲されていない部分を設けているものとしている。
【００３３】
この構成によれば、くぼみ空洞部６ａの底部６ｂの近傍に発生した熱がパイプ３の先端３ａからパイプ３及びベース２に伝わって外部に放出されるものとなり、もってくぼみ空洞部６ａの底部６ｂの近傍に発生した熱の放熱性を向上させられるものとなる。
【００３４】
（第４の実施の形態）
図４は、本発明に係る無電極放電灯の第４の実施の形態の要部を示す平面断面図である。
【００３５】
この無電極放電灯１は、パイプ３及び磁気コア４の構造に特徴がある。
【００３６】
パイプ３は、その内側壁面３ｂに、平面断面において、上底が下底のおよそ２分の１程度で高さが下底とほぼ等しい略台形状であって、その底辺をパイプ３の中心側に向けている凹部３ｃを１６箇所、それぞれの底辺が互いに接するように形成して、内側壁面３ｂの平面断面を凹凸形状にすると共に、その外側壁面３ｄに、平面断面において、一辺の長さがパイプ３の外周のおよそ４７分の１程度である略正方形をした凹部３ｅを４箇所、ほぼ等間隔に形成して、外側壁面３ｄの平面断面を凹凸形状にしている。
【００３７】
磁気コア４は、その内側壁面４ｂに、パイプ３の凹部３ｅに嵌合する凸部４ｃを同数形成して、内側壁面４ｂの平面断面を凹凸形状にすると共に、凸部４ｃを凹部３ｅと密着させている。
【００３８】
この構成によれば、無電極放電灯１は、パイプ３の内側壁面３ｂの近傍における熱対流が活発に行われるものとなるので、内側壁面３ｂの近傍に発生した熱を効率的に外部に放出することができるものとなるうえ、磁気コア４の内側壁面４ｂをパイプ３の外側壁面３ｄに設けた凹凸形状部に嵌合するよう凹凸形状に形成し、パイプ３の凹凸形状部に密着させているので、磁気コア４に発生した熱が効率的にパイプ３に伝わるものとなり、もって放熱性が良いものとなる。
【００３９】
（第５の実施の形態）
図５は、本発明に係る無電極放電灯の第５の実施の形態の要部を示す平面断面図である。
【００４０】
この無電極放電灯１は、パイプ３の構造に特徴がある。すなわち、パイプ３は、その内側壁面３ｂに、平面断面において、一辺の長さがパイプ３の内周のおよそ３３分の１程度である略正方形をした凹部３ｃを１６箇所、ほぼ等間隔に形成して、内側壁面３ｂの平面断面を凹凸形状にしている。
【００４１】
この構成によれば、パイプ３の内側壁面３ｂの近傍における熱対流が活発に行われるものとなるので、内側壁面３ｂの近傍に発生した熱を効率的に外部に放出することができるものとなる。
【００４２】
（第６の実施の形態）
図６は、本発明に係る無電極放電灯の第６の実施の形態の要部を示す平面断面図である。
【００４３】
この無電極放電灯１は、パイプ３の構造に特徴がある。すなわち、パイプ３は、その内側壁面３ｂに、平面断面において、頂角がおよそ１００°程度の略二等辺三角形であって、その底辺をパイプ３の中心側に向けている凹部３ｃを８箇所、それぞれの底辺が接するように形成して、内側壁面３ｂの平面断面を凹凸形状にしている。
【００４４】
この構成によれば、凹部３ｃが傾斜面を有しているので、パイプ３の内側壁面３ｂの近傍における熱対流が一層活発に行われるものとなり、内側壁面３ｂの近傍に発生した熱を一層効率的に外部に放出することができるものとなる。
【００４５】
（第７の実施の形態）
図７は、本発明に係る無電極放電灯の第７の実施の形態の要部を示す平面断面図である。
【００４６】
この無電極放電灯１は、パイプ３の構造に特徴がある。すなわち、パイプ３は、その内側壁面３ｂに、平面断面において、一辺の長さがパイプ３の内周のおよそ３３分の１程度である略正方形をした凹部３ｃを４箇所、ほぼ等間隔に形成して、内側壁面３ｂの平面断面を凹凸形状にしている。
【００４７】
この構成によれば、無電極放電灯１は、パイプ３の内側壁面３ｂに形成する凹凸形状が簡単になるので、パイプ３の製造が容易なものになり、もって簡単に製造することができるものとなる。
【００４８】
（第８の実施の形態）
図８は、本発明に係る無電極放電灯の第８の実施の形態の要部を示す平面断面図である。
【００４９】
この無電極放電灯１は、パイプ３及び磁気コア４の構造に特徴がある。
【００５０】
パイプ３は、その外側壁面３ｄに、平面断面において、一辺の長さがパイプ３の外周のおよそ４７分の１程度である略正方形をした凹部３ｅを４箇所、ほぼ等間隔に形成して、外側壁面３ｄの平面断面を凹凸形状にしている。
【００５１】
磁気コア４は、その内側壁面４ｂに、パイプ３の凹部３ｅに嵌合する凸部４ｃを同数形成して、内側壁面４ｂの平面断面を凹凸形状にすると共に、凸部４ｃを凹部３ｅと密着させている。
【００５２】
この構成によれば、無電極放電灯１は、磁気コア４の内側壁面４ｂをパイプ３の外側壁面３ｄに設けた凹凸形状部に嵌合するよう凹凸形状に形成し、パイプ３の凹凸形状部に密着させているので、磁気コア４に発生した熱が効率的にパイプ３に伝わるものとなり、もって放熱性が良いものとなる。
【００５３】
（第９の実施の形態）
図９は、本発明に係る無電極放電灯の第９の実施の形態の要部を示す平面断面図である。
【００５４】
この無電極放電灯１は、パイプ３の構造に特徴がある。すなわち、パイプ３は、その外側壁面３ｄに、平面断面において、一辺の長さがパイプ３の外周のおよそ４７分の１程度である略正方形をした凹部３ｅを４箇所、ほぼ等間隔に形成して、外側壁面３ｄの平面断面を凹凸形状にしている。
【００５５】
この構成によれば、無電極放電灯１は、パイプ３の外側壁面３ｄの凹部３ｅが空隙となって、パイプ３の外側壁面３ｄと磁気コア４の内側壁面４ｂとの間に空間を設けることができるので、凹部３ｅの近傍における熱対流が活発に行われるものとなり、もって放熱性が向上させられるものとなる。
【００５６】
（第１０の実施の形態）
図１０は、本発明に係る無電極放電灯の第１０の実施の形態の要部を示す斜視図である。
【００５７】
この無電極放電灯１は、パイプ３の構造に特徴がある。すなわち、パイプ３は、その内側壁面３ｂに、平面断面において、一辺の長さがパイプ３の内周のおよそ３３分の１程度である略正方形をした凹部３ｃを４箇所、パイプ３の延伸方向の中心軸に対して略平行状にほぼ等間隔に形成して、内側壁面３ｂの平面断面を凹凸形状にしている。
【００５８】
この構成によれば、無電極放電灯１は、パイプ３の延伸方向における熱対流が活発に行われるものとなるので、パイプ３に効率的に熱が伝わるものとなって、もって放熱性を向上させられるものとなる。
【００５９】
（第１１の実施の形態）
図１１は、本発明に係る無電極放電灯の第１１の実施の形態の要部を示す斜視図である。
【００６０】
この無電極放電灯１は、パイプ３の構造に特徴がある。すなわち、パイプ３は、その内側壁面３ｂに、平面断面において、一辺の長さがパイプ３の内周のおよそ３３分の１程度である略正方形をした凹部３ｃを４箇所、パイプ３の延伸方向の中心軸のまわりに螺旋状にほぼ等間隔に形成して、内側壁面３ｂの平面断面を凹凸形状にしている。
【００６１】
この構成によれば、無電極放電灯１は、パイプ３の延伸方向における熱対流が一層活発に行われるものとなるので、パイプ３に効率的に熱が伝わるものとなって、もって放熱性を一層向上させられるものとなる。
【００６２】
（第１２の実施の形態）
図１２は、本発明に係る無電極放電灯の第１２の実施の形態の要部を示す側面断面図である。
【００６３】
この無電極放電灯１は、パイプ３の構造に特徴がある。すなわち、パイプ３は、その内側壁面３ｂに、パイプ３の延伸方向の中心軸を含む平面によって切断した断面において、底辺の長さが高さのおよそ４倍程度の略二等辺三角形をした凹部３ｃを、それぞれの底辺が互いに接するように形成している。これにより、パイプ３は、その内側壁面３ｂが雌ねじ状のタップ形状をした凹凸形状部が設けられるのである。
【００６４】
この構成によれば、無電極放電灯１は、パイプ３の内側壁面３ｂの周回方向における熱対流が活発に行われるものとなるので、パイプ３に効率的に熱が伝わるものとなって、もって放熱性を向上させられるものとなる。
【００６５】
（第１３の実施の形態）
図１３は、本発明に係る無電極放電灯の第１３の実施の形態の要部を示す側面断面図である。
【００６６】
この無電極放電灯１は、パイプ３の構造に特徴がある。すなわち、パイプ３は、磁気コア４に包囲されていない部分に、内側壁面３ｂと外側壁面３ｄとの間を貫通する貫通孔３ｆを形成しているのである。
【００６７】
この構成によれば、無電極放電灯１は、パイプ３に貫通孔３ｆを形成しているので、くぼみ空洞部６ａ内部における熱対流が活発に行われるものとなり、パイプ３に伝わる熱の量が増加して、もって放熱性を一層向上させられるものとなる。
【００６８】
以上、本発明に係る無電極放電灯の実施の形態を説明したが、無電極放電灯１は、パイプ３及び熱伝導部８、あるいは、パイプ又は熱伝導部８を、Ｃｕ等の熱伝導性が良く、加工が容易な材料で形成してもよい。こうすると、パイプ３及び熱伝導部８を容易に製造することができるうえ、放熱性が向上するものとなる。
【００６９】
【発明の効果】
磁気コア及び誘導コイル等が、その耐熱温度を超えにくいものとなり、無電極放電灯の発光効率等の低下が抑えられるものとなる。また、磁気コアの外側壁面に発生した熱が熱伝導部を介して放出されるものとなり、もって放熱性を一層向上させられるものとなる。
【００７０】
請求項２に係る発明の無電極放電灯は、請求項１の構成において、放熱促進構造が、ベース及びパイプ、あるいは、ベース又はパイプの側壁面を、その表面積が増加する形状としているので、ベース又はパイプの側壁面における熱対流が活発に行われるものとなり、もって放熱性を向上させられるものとなる。
【００７１】
請求項３に係る発明の無電極放電灯は、請求項２の構成において、表面積が増加する形状は、排気管の延伸方向の中心軸に対して略平行な平面によって切断した断面、又はその平面と略直交する平面によって切断した断面を、凹凸形状にしているので、放熱構造を容易に形成することができるものとなり、もって無電極放電灯を容易に製造することができるものとなる。
【００７２】
請求項４に係る発明の無電極放電灯は、請求項３の構成において、パイプは、その内側壁面、あるいは外側壁面の少なくとも一方を凹凸形状とし、その凹凸形状部を、パイプの延伸方向の中心軸に対して略平行状、又はその中心軸のまわりに螺旋状に設けているので、パイプの側壁面における熱対流が一層活発に行われるものとなり、もって放熱性を一層向上させられるものとなる。
【００７３】
請求項５に係る発明の無電極放電灯は、請求項３又は４の構成において、磁気コアは、その内側壁面をパイプの外側壁面に設けた凹凸形状部に嵌合するよう凹凸形状に形成し、パイプの凹凸形状部に密着させているので、磁気コアに発生した熱が効率的にパイプに伝わるものとなり、もって放熱性が良いものとなる。
【００７４】
請求項６に係る発明の無電極放電灯は、請求項１乃至５の構成において、ベースは、その外周側壁面に、樹脂材料にて形成した放熱部材を、少なくともその一部を外部に露出させた状態で固着しているので、ベースに伝わる熱が放熱部材を介して放出されるものとなり、もって放熱性が一層良いものとなる。
【００７６】
請求項７に係る発明の無電極放電灯は、請求項１乃至６の構成において、パイプは、磁気コアに包囲されていない部分に、内側壁面と外側壁面との間を貫通する貫通孔を形成しているので、貫通孔の近傍における熱対流が活発に行われるものとなり、もって放熱性を向上させられるものとなる。
【００７７】
請求項８に係る発明の無電極放電灯は、請求項１乃至７の構成において、パイプは、その先端が、磁気コアの端部より、くぼみ空洞部の底部の側に延在するよう形成して、磁気コアに包囲されていない部分を設けているので、くぼみ空洞部の底部の近傍に発生した熱がパイプの先端からパイプ及びベースに伝わって外部に放出されるものとなり、もってくぼみ空洞部の底部の近傍に発生した熱の放熱性を向上させられるものとなる。
【００７８】
請求項９に係る発明の無電極放電灯は、請求項１の構成において、パイプ及び熱伝導部、あるいは、パイプ又は熱伝導部は、Ｃｕで形成しているので、パイプ又は熱伝導部の加工が容易で、かつ熱伝導性が良いものとなり、もって発光効率等の低下を抑えることのできるものになる。
【図面の簡単な説明】
【図１】本発明に係る無電極放電灯の第１の実施の形態を示す側面断面図である。
【図２】同上の第２の実施の形態を示す側面断面図である。
【図３】同上の第３の実施の形態を示す側面断面図である。
【図４】同上の第４の実施の形態の要部を示す平面断面図である。
【図５】同上の第５の実施の形態の要部を示す平面断面図である。
【図６】同上の第６の実施の形態の要部を示す平面断面図である。
【図７】同上の第７の実施の形態の要部を示す平面断面図である。
【図８】同上の第８の実施の形態の要部を示す平面断面図である。
【図９】同上の第９の実施の形態の要部を示す平面断面図である。
【図１０】同上の第１０の実施の形態の要部を示す斜視図である。
【図１１】同上の第１１の実施の形態の要部を示す斜視図である。
【図１２】同上の第１２の実施の形態の要部を示す側面断面図である。
【図１３】同上の第１３の実施の形態の要部を示す側面断面図である。
【図１４】従来の無電極放電灯を示し、（ａ）は側面断面図、（ｂ）はパイプ３と磁気コア４の平面断面図である。
【図１５】別の従来の無電極放電灯を示し、（ａ）は要部平面図、（ｂ）は要部側面図である。
【符号の説明】
１        無電極放電灯
２        ベース
３        パイプ
３ａ    パイプの先端部
３ｂ    パイプの内側壁面
３ｄ    パイプの外側壁面
３ｆ    貫通孔
４        磁気コア
４ａ    磁気コアの端部
４ｂ    磁気コアの内側壁面
４ｄ    磁気コアの外側壁面
５        誘導コイル
６        バルブ
６ａ    くぼみ空洞部
６ｂ    くぼみ空洞部の底部
６ｃ    排気管
７        放熱部材
８        熱伝導部
８ａ    熱伝導部の先端
【図１】
0003894045.tif 000002
【図２】
0003894045.tif 000003
【図３】
0003894045.tif 000004
【図４】
0003894045.tif 000005
【図５】
0003894045.tif 000006
【図６】
0003894045.tif 000007
【図７】
0003894045.tif 000008
【図８】
0003894045.tif 000009
【図９】
0003894045.tif 000010
【図１０】
0003894045.tif 000011
【図１１】
0003894045.tif 000012
【図１２】
0003894045.tif 000013
【図１３】
0003894045.tif 000014
【図１４】
0003894045.tif 000015
【図１５】
0003894045.tif 000016